(57)【特許請求の範囲】
【請求項１】
作動弁本体内に設けられた第１の作動軸と、
該第１の作動軸を支点として回動し流路を開閉する弁体と、
前記第１の作動軸の近傍であって前記作動弁本体から外部に軸端が突出するように設けられた第２の作動軸と、
該第２の作動軸の作動弁本体内の軸部に軸支され、前記弁体の端部に当接して弁体の回動によって前記第２の作動軸を回動させると共に、前記第２の作動軸側から回動された場合に前記弁体を開閉させる連動部材と、
前記第２の作動軸の外部に突出された軸端に固定され、前記弁体の開閉に応じて回動される作動レバーと、
該作動レバーの回動により弁開を示す作動信号または弁閉を示す非作動信号を出力するスイッチと、
を備えたことを特徴とする流水検知装置。
【請求項２】
請求項１記載の流水検知装置において、
前記作動レバーに上下方向に移動自在に作動流量を調整する調整部材を固定したことを特徴とする流水検知装置。
【請求項３】
請求項１，２記載の流水検知装置において、前記作動レバーを前記第２の作動軸の両側に設けると共に各レバー毎に前記スイッチを設けたことを特徴とする流水検知装置。
【請求項４】
請求項３記載の流水検知装置において、前記各スイッチの一方または両方に遅延装置を設けたことを特徴とする流水検知装置。
【発明の詳細な説明】
【０００１】
【発明の属する技術分野】
本発明は、二次側の減圧によって作動する弁体と弁体の作動によって作動信号を出力するスイッチを有する作動弁型の流水検知装置に関する。
【０００２】
【従来の技術】
従来、この種の作動弁型の流水検知装置としては、例えば図９に示すようなものがある。
図９において、１は弁本体であり、弁本体１内には弁ディスク２が開閉自在に設けられ、また、この弁ディスク２を受ける弁シート３が設けられている。弁本体１内には弁ディスク２が閉弁としている状態においては、弁ディスク２により一次側と二次側に仕切られ、一次側と二次側の圧力バランスが保持されている。
【０００３】
弁本体１の一次側には図示しない制御弁が接続され、弁本体１の二次側にはスプリンクラーヘッド４に加圧水を給水する給水配管５が接続されている。また、弁体２の二次側には接続口６を介して排水弁７が接続されている。また、二次側の弁体１には先端にスイッチ片８を設けた端子部９が挿入され、端子部９から引き出されたケーブル１０はリミットスイッチ１１に接続されている。
【０００４】
弁ディスク２が押し上げられてスイッチ片８が押圧されると、端子部９の接点が閉じ、リミットスイッチ１１がオンになる。制御弁側の一次側の圧力とスプリンクラーヘッド４側の二次側の圧力が等しい状態にあっては、消火ポンプは停止状態にあり、弁ディスク２は、図９に示すように、弁シート３を閉じた状態にある。この状態においては、弁ディスク２はスイッチ片８を押圧しないので、リミットスイッチ１１はオフ状態にあり、流水は検知されない。
【０００５】
次に、スプリンクラーヘッド４が火災により作動した場合、あるいは点検のため末端試験装置の試験弁を開いた場合には、二次側の圧力の低下に伴って、図１０に示すように弁ディスク２が押し上げられる。弁ディスク２が押し上げられて、スイッチ片８を押圧すると、端子部９の接点が閉じてリミットスイッチ１１がオンになる。リミットスイッチ１１のオンにより流水が検知される。
【０００６】
その後リミットスイッチ１１の出力を停止する復旧作業は、弁ディスク２の一次側に設けられている制御弁を手動で閉弁することで行われ、このことにより流水が止まり、弁ディスク２が弁シート３を閉じる。弁ディスク２がスイッチ片８から離れると、端子部９の接点は開放され、リミットスイッチ１１がオフになる。こうして、リミットスイッチ１１は復旧する。
【０００７】
【発明が解決しようとする課題】
しかしながら、このような従来の作動弁型の流水検知装置にあっては、弁ディスクの弁開度が小さい場合には弁ディスクがスイッチを押圧しないため、リミットスイッチがオン状態にならなかった。すなわち、弁開度が一定値以上にならないと弁ディスクはスイッチ片を押圧することができず、リミットスイッチはオンしない。逆に弁開度が小さくてもリミットスイッチがオンするようにすると、弁開度が制限されるため、圧力損失が生じるという問題があった。
【０００８】
また、この流水検知装置が取り付けられている現場においては、末端試験装置の試験弁を開いて流水させることで弁ディスクを作動させて、リミットスイッチをオンさせる作動試験を行うが、流水させない限り、作動試験を行うことができないという問題もあった。
さらに、このような作動弁型の流水検知装置においては、弁ディスクが作動してからリミットスイッチがオンして作動信号を出力するまでの間に遅延時間を必要としないポンプ起動用の信号と遅延時間を必要とする表示用の信号を発することが必要であるが、この従来例においては、弁ディスクが押し上げられると、リミットスイッチは遅延時間なしにオンになり、遅延時間を必要としない信号は得られるが、遅延時間を必要とする信号は得られなかった。すなわち、一種類の作動信号しか得られず、遅延時間のある作動信号と遅延時間のない作動信号を得ることができなかった。
【０００９】
本発明は、このような従来の問題点に鑑みてなされたものであって、弁開度が小さい場合でもスイッチがオンし、また圧力損失が少なく、現場で簡単に弁体の作動試験を行うことができ、さらに複数の作動信号を得ることができる流水検知装置を提供することを目的とする。
【００１０】
【課題を解決するための手段】
この目的を達成するために、本発明は次のように構成する。
本発明は、とを備えたことを特徴とする。
また本発明においては、作動弁本体内に設けられた第１の作動軸と、第１の作動軸を支点として回動し流路を開閉する弁体と、第１の作動軸の近傍であって作動弁本体から外部に軸端が突出するように設けられた第２の作動軸と、第２の作動軸の作動弁本体内の軸部に軸支され弁体の端部に当接して弁体の回動によって第２の作動軸を回動させると共に第２の作動軸側から回動された場合に弁体を開閉させる連動部材と、第２の作動軸の外部に突出された軸端に固定され弁体の開閉に応じて回動される作動レバーと、作動レバーの回動により弁開を示す作動信号または弁閉を示す非作動信号を出力するスイッチとを備えたことを特徴とする。
【００１１】
また本発明においては、作動レバーに上下方向に移動自在に作動流量を調整する調整部材を固定している。
更に、本発明においては、作動レバーを第２の作動軸の両側に設けると共に各レバー毎にスイッチを設ける。更に２組のスイッチのうちの一方または両方に遅延装置を設ける。
【００１２】
このような本発明の流水検知装置によれば、弁体が開弁したときは外部に突出した作動軸のカム部材を介して第２の作動軸の作動レバーを回転してスイッチをオンするので、弁体の弁開度が小さい場合でもスイッチはオンし、弁体が開弁したことを示す作動信号を確実に出力することができる。また、弁体の弁開度が制限されないので、作動流量が制限されることがなく、圧力損失が小さい。
【００１３】
また、作動レバーに上下方向に移動自在に作動流量を調整する調整部材を固定したので、この調整部材の固定位置により作動と判断する弁体の弁開度を変更することができる。
さらに、第２の作動軸に対し２組の作動レバーとスイッチを設けたことで、弁体の開弁による作動信号を２つのスイッチから出力することができる。また、２組のスイッチのうちの一方または両方に遅延装置を設けることで、例えば遅延を必要としないポンプ起動用の信号と遅延を必要とする表示用の信号を得ることができる。
【００１４】
【発明の実施の形態】
図１は本発明の流水検知装置の断面図であり、図２に弁体部分を水平面で切った断面図を示す。
図１，２において、２１は流水検知装置２２の作動弁本体であり、作動弁本体２１内には弁座２３が一体に形成されている。また、作動弁本体２１内には第１の作動軸２４が設けられている。２５は弁体であり第１の作動軸２４を支点として一体に回動するように設けられ、弁体２５の一次側と二次側の圧力がバランスしているときは自重により弁座２３に着座して閉弁し、二次側が減圧すると、流水により開弁する。弁座２３上にはパッキン９０が設けられている。
【００１５】
弁体２５の二次側は接続口２６を介して加圧水を供給する給水配管２７が接続され、給水配管２７には監視区域に散水を行うスプリンクラーヘッド２８が接続されている。弁体２５の一次側の作動弁本体２１にはボルト２９により制御弁３０の制御弁本体３０Ａが接続され、制御弁本体３０Ａ内には流路３１を開閉するボール弁３２が収納されている。
【００１６】
ボール弁３２による流路３１の開閉は、後述するレバーにより行われ、レバーを水平方向から垂直方向に９０度反時計回り方向に操作すると、ボール弁３２が回転して、流路３１を開く。ボール弁３２と作動弁本体２１の内壁およびボール弁３２と制御弁本体３０Ａの内壁の間にはＯリング３３，３４がそれぞれ介装され、また、制御弁本体３０Ａと作動弁本体２１の接続部にはシール部材３５が介装されている。
【００１７】
制御弁本体３０Ａの接続口３０Ｂには図示しない給水本管が接続され、給水本管は図示しない消火ポンプに接続されている。また、弁体２５の二次側の作動弁本体２１の接続口３６には排水弁３７が接続され、ハンドル３７Ａの操作により排水を行うことができるようになっている。
３８は第２の作動軸であり、第１の作動軸２４の水平方向であってかつその近傍に設けられている。第２の作動軸３８は、図２のように、作動弁本体２１に回動自在に設けられ、その両端部は、作動弁本体２１から外部に突出している。即ち、、第２の作動軸３８の一方の軸端部はスイッチボックス３９内に突出し、他方の軸端部はキャップ６４が装着されている。第２の作動軸３８と作動弁本体２１の間にはパッキン８０が介装され、軸部をシールしている。
【００１８】
第２の作動軸３８の中央部には突起部４０Ａを備えた連動部材４０が固定され、弁体２５の端部２５Ａに当接する。第２の作動軸３８のスイッチボックス３９内に突出している軸端部には作動レバー４１の一端部が固定され、作動レバー４１の他端部側には重り４２が設けられている。作動レバー４１は第２の作動軸３８と一体で回動する。
【００１９】
弁体２５が閉じている状態では図示の位置にあり、作動レバー４１は重り４２により下がろうとする力に抗して位置Ａにある。弁体２５が開くと端部２５Ａは第１の作動軸２４を支点として時計回り方向に回転するため、重り４２の作用で連動部材４０は端部２５Ａに突起部４０Ａが当接しながら時計回り方向に回転し、第２の作動軸３８も一体で時計回り方向に回転する。
【００２０】
こうして、作動レバー４１はＡで示す位置からＢで示す位置に回転する。作動レバー４１はＢで示す位置にくると図示しないストッパ部材により停止するようになっている。この作動レバー４１の回動により後述するリミットスイッチ（スイッチ）がオンになり、弁体２５が開動作したことを示す作動信号が出力される。
【００２１】
また、弁体２５が第１の作動軸２４を支点として反時計回り方向に回転して自重で閉弁するときは、弁体２５の端部２５Ａも反時計回り方向に回転して連動部材４０の突起部４０Ａを反時計回り方向に押圧する。このため、連動部材４０は第２の作動軸３８と一体となって反時計回り方向に回転し、作動レバー４１はＡで示す位置に戻る。
【００２２】
弁体２５の弁開度をθとし、作動レバー４１の回動角をθ１とすると、θとθ１の関係はθ１＜θのようになっており、弁体２５の弁開度θに比べて作動レバー４１の回動角θ１は小さくなる。このため、弁体２５の弁開度が小さくても、作動レバー４１の作動により図３に示すリミットスイッチ５９がオンできるようになっている。
【００２３】
また、作動レバー４１は、作動弁本体２１の外側に設けられており、組立が容易である。また、この作動レバー４１を操作することで現場で容易に弁体２５の作動を含めた作動試験を行うことができる。すなわち、作動レバー４１の重り４２の部分をＡで示す位置からＢで示す位置に押し下げると、第２の作動軸３８は作動レバー４１と一体で時計回り方向に回転し、これにより連動部材４０も時計回り方向に回転するので、連動部材４０の突起部４０Ａに当接している弁体２５の端部２５Ａも突起部４０Ａにより時計回り方向に押圧されて回転し、弁体２５は第１の作動軸２４を支点として時計回り方向に回転し、開弁する。また、作動レバー４１をＢの位置に押し下げることで、リミットスイッチがオンになり作動信号が出力される。このように、弁体２５の作動を含めた作動試験を作動レバー４１の重り４２の部分を押圧するだけで現場で簡単に行うことができるようにしている。
【００２４】
作動レバー４１の略中央部の上部側には調整部材４３が上下動自在に設けられている。調整部材４３には一対の長孔４４が形成され、長孔４４にビス４５がねじ止めされ、ビス４５による調整で調整部材４３は上下動自在に作動レバー４１に固定される。調整部材４３をビス４５により下側に下げて作動レバー４１に固定すると、流量の少ない状態、即ち弁体２５の弁開度が小さい状態で作動信号を出力するスイッチがオンするようになっている。したがって、調整部材４３の固定位置により、作動させたい流量を調整することができる。
【００２５】
４６は制御弁３０の開閉を検出するスイッチであり、スイッチ４６はスイッチボックス３９内の下側に配置された支持台４７上に設けられている。スイッチ４６はスイッチ軸４８とスイッチ軸４８をスイッチボックス３９から外側に突出するように付勢するリターンスプリング４９とスイッチ軸４８とリターンスプリング４９を収納する収納部５０とスイッチ軸４８が押し込まれたことを検出して制御弁３０が開いたことを示す作動信号を出力するスイッチ本体５１を有する。
【００２６】
５２は後述するレバーに設けられた押圧部であり、レバーを水平方向から反時計回り方向に９０度垂直に回転すると、制御弁３０が開弁し、同時に押圧部５２がスイッチ軸４８を押し込んでスイッチ４６をオンさせる。
５３はスイッチボックス３９内部の上側に設けられた遅延装置の一部であるエアーダンパであり、エアーダンパ５３は、作動レバー４１が作動したとき所定の遅延時間後にリミットスイッチ５９をオンさせ、弁体２５が作動したことを示す作動信号が出力するための遅延時間を設定する。なお、５４は作動弁本体２１にスイッチボックス３９を固定する固定ボルトである。
【００２７】
エアーダンパ５３のピストン軸５５の頭部５６とナット５７との間には、図３に示すようにスイッチレバー５８の一端が固定され、スイッチレバー５８の他端は取付部６０を介してリミットスイッチ５９に軸支されている。作動レバー４１がＡで示す位置にあるときは、調整部材４３はスイッチレバー５８の下面に当接し、スイッチレバー５８をＡ１で示す位置まで上側に押し上げている。
【００２８】
作動レバー４１がＡに示す位置からＢで示す位置まで回転して下がると、調整部材４３ａのスイッチレバー５８の下面への当接が解除され、このことでスイッチレバー５８はリミットスイッチ５９の下部に備えてあるスプリング９１の力とエアーダンパ５３内のピストン６２の自重によりＡ１で示す位置からＢ１で示す位置に反時計回り方向に回転して下がり、このスイッチレバー５８の下方への移動によりスイッチノブ６１が押し出され、リミットスイッチ５９内の接点が閉じオンになる。
【００２９】
この場合、スイッチレバー５８の一端は、エアーダンパ５３のピストン軸５５に固定されているので、エアーダンパ５３の作用により、作動レバー４１の作動後、リミットスイッチ５９は所定の遅延時間だけ遅れてオンになる。
すなわち、スイッチレバー５８は、ピストン軸５５を介してエアーダンパ５３内に収納されたピストン６２に接続されているので、スイッチレバー５８の下方への移動は、エアーダンパ５３内のピストン６２が下方に移動するとき、エアーダンパ５３内に外部の空気を空気通路を経て吸入することにより、ゆっくりと徐々になされる。この場合、エアーダンパ５３内に入る空気の量を調整することにより遅延時間を調整することができる。
【００３０】
このため、エアーダンパ５３の上部には遅延調整ねじ６３が設けられ、遅延時間の調整が必要なときは、この遅延調整ねじ６３により調整する。具体的には、遅延調整ねじ６３をマイナスドライバーを用いて、エアーダンパ５３に入る空気量、即ち空気通路の開度を変え、遅延時間の調整を行う。例えば、遅延調整ねじ６３を左に回すと空気の入る量が増え、遅延時間が短くなり、右に回すと空気の入る量が減り、遅延時間が長くなる。
【００３１】
遅延装置９２は、エアーダンパ５３、ピストン軸５５、頭部５６、ナット５７、ピストン６２、遅延調整ねじ６３から構成される。
なお、スイッチボックス３９内の下側には制御弁３０の開閉を検出するスイッチ４６が設けられている。
図４〜図７は流水検知装置２２の外観図である。
【００３２】
図４は流水検知装置２２の平面図、図５は流水検知装置２２の正面図、図６は図５の左側面図、図７は図５の右側面図である。
図４〜図７において、２１は流水検知装置２２の作動弁本体であり、作動弁本体２２の下側には制御弁本体３０Ａが固定されている。作動弁本体２１の上側は給水配管２７が接続される接続口２６が開口し、作動弁本体２１の一方の側面には排水弁２７が接続される接続口３６が開口し、さらに作動弁本体２１の他方の側面にはスイッチボックス３９が固定されている。
【００３３】
また、作動弁本体２１からは第２の作動軸３８の両端部が突出しているので、使用していない軸端にはキャップ６４を設けている。６５は制御弁３０を開閉するレバーであり、レバー６５は支点６６を中心として９０度回動するように制御弁本体３０Ａに取り付けられている。
レバー６５には２つの位置決め片６７，６８が設けられ、一方の位置決め片６７が制御弁本体３０Ａに固定した位置決め部６９に当接するようにレバー６５を時計回り方向に９０度回転して水平にすると、回転軸７０が回転してボール弁３２が流路３１を閉じ、他方の位置決め片６８を制御弁本体３０Ａの位置決め部６９に当接するようにレバー５５を前記水平位置から反時計回り方向に９０度回転して垂直にすると、回転軸７０も反時計回り方向に回転してボール弁３２が流路３１を開く。このとき、レバー本体７１に固定した押圧部５２がスイッチボックス３９に設けたスイッチ４６のスイッチ軸４８を押し込む。これにより、スイッチ４６がオンになり、制御弁３０が開弁したことを示す作動信号が出力される。
【００３４】
次に、図１乃至図３の作用を説明する。
通常の監視時においては、図１に示すように制御弁３０のボール弁３２が流路３１を開いており、弁体２５の一次側と二次側の圧力はバランスがとれているので、弁体２５は自重で弁座２３に着座し閉弁している。弁体２５が閉弁している状態においては、弁体２５の端部２５Ａは連動部材４０の突起部４０Ａを反時計回り方向に押圧しているので、連動部材４０が固定された第２の作動軸３８の端部に固定された作動レバー４１はＡに示す位置にある。
【００３５】
このため、図３に示すように、作動レバー４１はスイッチレバー５８の一端側をＡ２で示す位置まで上側に押圧しているので、スイッチノブ６１は押し込まれ、リミットスイッチ５９はオフの状態にある。
この通常の監視状態において、監視区域内で火災が発生すると、スプリンクラーヘッド２８が作動し、散水が行われる。給水配管２７内の消火水はスプリンクラーヘッド２８に供給されるので、弁体２５の一次側より二次側の圧力が低下し、流水が生じて、弁体２５が開弁する。弁体２５は第１の作動軸２４を支点として時計回り方向に回転し、弁体２５の端部２５Ａも同様に時計回り方向に回転する。
【００３６】
部材２５Ａに当接する突起部４０Ａを一体に形成した連動部材４０も弁体２５の端部２５Ａの回転に追従し連動して回転するので、作動レバー４１も第２の作動軸３８と一体となって重り４２と作動レバー４１の重力によってＡで示す位置からＢで示す位置に回転する。このため、図２に示すように、スイッチレバー５８の他端側を上側に押し上げる力がなくなることで、スイッチレバー５８はリミットスイッチ５９の下部に備えてあるスプリング９１の力とエアーダンパ５３内のピストン６２の自重によりＡ１で示す位置からＢ１で示す位置にθ２で示す角度だけ下方へ移動する。
【００３７】
この場合、スイッチレバー５８の他端側は、遅延装置９２であるエアーダンパ５３のピストン軸５５に連結されているので、エアーダンパ５３の作用によりスイッチレバー５８はゆっくり下降し、所定の遅延時間をもってリミットスイッチ５９がオンする。弁体２５の作動による、作動レバー４１の作動後のリミットスイッチ５９のオンまでの時間である遅延時間を調整するためには、エアーダンパ５３の遅延調整ねじ６３を回すことでエアーダンパ５３への空気通路の開度を調整してエアーダンパ５３に入る空気の入る量を調整すれば良い。
【００３８】
このように、弁体２７が作動し開弁すると、弁体２５に追従して作動レバー４１が作動し、スイッチレバー５８を介してリミットスイッチ５９がオンするようになっているため、弁体２５の開度が小さい場合でもリミットスイッチ５８をオンし、弁体２５が作動したことを示す作動信号が出力することができる。
また、作動レバー４１に長孔４４を介してビス４５により固定される調整部材４３を下側に下げて固定すると、スイッチレバー５８がリミットスイッチ５９をオフさせる角度θ２が小さくなるので、弁体２５の開度が小さい状態、即ち流れる流量が少ない状態で、リミットスイッチ５９がオンし作動信号を出力することになる。このように、調整部材４３の位置調整により作動させたい流量を流せる弁体２５の弁開度を変えることができ、その結果、作動流量が決定される。
【００３９】
スプリンクラーヘッド２８からの散水により消火が終了し、消火ポンプの起動を停止すると、流水がなくなるので、弁体２５は自重により弁座２３に着座して閉弁する。弁体２５の端部２５Ａは、第１の作動軸２４を支点として反時計回り方向に回転するので、突起部４０Ａにより当接する連動部材４０も端部２５Ａの回転に連動して反時計回り方向に回転し、作動レバー４１はＢで示す位置からＡで示す位置に戻る。
【００４０】
このため、図３に示すように、スイッチレバー５８は作動レバー４１により押し上げられ、スイッチノブ６１を押し込むことで、リミットスイッチ５９はオフになる。
ここで、弁体２５の作動を含めた全体の作動試験を行うときは、作動弁本体２１の外側であって第２の作動軸３８の端部に固定されている作動レバー４１の重り４２の部分をＡで示す位置からＢで示す位置まで押し下げる。作動レバー４１の回転により、第２の作動軸３８に固定されている連動部材４０は、時計回り方向に回転し、突起部４０Ａが弁体２５の端部２５Ａを時計回り方向に押圧するので、弁体２５は第１の作動軸２４を支点として回動し、開弁する。また、作動レバー４１の重り４２の部分をＢで示す位置まで押し下げることで、エアーダンパ５３に設定した遅延時間後にリミットスイッチがオンし作動信号が出力される。
【００４１】
作動レバー４１の長手方向の寸法を長くしており、また、重り４２の重さにより小さい力で弁体２５を開弁させることができる。このように、従来のように流水しなくても弁体２５の作動を含めた流水検知装置２２全体の作動試験を現場で簡単に行うことができる。
図８は本発明の他の実施形態であり、作動信号を出力するリミットスイッチを含むスイッチ機構等を２つ設けたことを特徴とする。
【００４２】
３８は第２の作動軸であり、第２の作動軸３８の一端は作動弁本体２１から第１のスイッチボックス３９Ａ内部に突出しており、第２の作動軸３８の他端は作動弁本体２１から第２のスイッチボックス３９Ｂ内部に突出している。第１のスイッチボックス３９Ａと第２のスイッチボックス３９Ｂはボルト７２により互いに固定されている。
【００４３】
第２の作動軸３８の一端には第１の作動レバー４１Ａが固定され、第１の作動レバー４１Ａの内側には重り４２Ａが固定され、第１の作動レバー４１Ａの外側には調整部材４３Ａが上下動自在に固定されている。弁体２５が閉弁している状態にあっては、第１の作動レバー４１ＡはＡで示す位置にあり、第１の作動レバー４１Ａの調整部材４３Ａが第１のスプリング９１Ａに抗して第１のスイッチレバー５８Ａの一端側を押し上げている。
【００４４】
第１のスイッチレバー５８Ａの一端側はエアーダンパ５３のピストン軸５５に連結され、他端側は取付部６０Ａを介して第１のリミットスイッチ５９Ａに取り付けられている。第１のリミットスイッチ５９Ａおよび制御弁３０の作動を検出するスイッチ４６からそれぞれ引き出された各信号線７３，７４は端子台７５にそれぞれ接続されている。
【００４５】
弁体２５が開弁すると、第１の作動レバー４１ＡはＡで示す位置からＢで示す位置に回動し、このことで第１のスイッチレバー５８Ａを押し上げる押圧力がなくなるので、第２のスイッチレバー５８Ａが下方に下がる。このとき、第１のスイッチレバー５８Ａの一端はエアーダンパ５３に連結されているので、エアーダンパ５８の作用により設定された遅延時間をかけてゆっくり下側に下がり、第１のスイッチレバー５８Ａの他端が第１のリミットスイッチ５９Ａに接続されるので、スイッチレバー５８Ａが下方に下がることでスイッチノブ６１Ａが突出し、第１のリミットスイッチ５９Ａはオンとなる。この動作は図３を使って説明したものと同様である。
【００４６】
一方、第２の作動軸３８の他端には第２の作動レバー４１Ｂが固定され、第２の作動レバー４１Ｂの外側には重り４２Ｂが固定され、第２の作動レバー４１Ｂの内側には調整部材４３Ｂが上下動自在に固定されている。弁体２５が閉弁している状態にあっては、第２の作動レバー４１ＢはＡで示す位置になり、第２の作動レバー４１Ｂの調整部材４３Ｂが第２のスプリング９１Ｂに抗して第２のスイッチレバー５８Ｂの一端側を押し上げている。第２のスイッチレバー５８Ｂの他端側は取付部６０Ｂを介して第２のリミットスイッチ５９Ｂに取り付けられている。第２のリミットスイッチ５９Ｂから引き出された信号線７６は端子台７７に接続されている。
【００４７】
弁体２５が開弁すると、第２の作動レバー４１ＢはＡで示す位置からＢで示す位置に回動し、このことで第２のスイッチレバー５８Ｂを押し上げる押圧力がなくなるので、第２のスイッチレバー５８Ｂは下方に下がる。このとき、第２のスイッチレバー５８Ｂにはエアーダンパが設けられていないので、第２のスイッチレバー５８Ｂの一端が直ちに下方に下がり、このことでスイッチノスブ６１Ｂが突出し、第２のリミットスイッチ５９Ｂは遅延時間なしで直ちにオンになる。
【００４８】
このように、作動レバーとスイッチ機構を２組設けたことで、２つの作動信号を出力でき、更に２組のスイッチ機構の一方または両方に遅延装置を設けることで例えば遅延時間のある作動信号と遅延時間のない作動信号をそれぞれ出力することができる。したがって、遅延を必要としないポンプ起動用の信号と遅延を必要とする表示用の信号を得ることができる。
【００４９】
更に、どちらの作動レバーにもエアーダンパを接続して、それぞれ遅延時間のある作動信号を出力しても良いし、また、どちらにもエアーダンパを設けずそれぞれ遅延時間のない作動信号を出力しても良い。
【００５０】
【発明の効果】
以上説明してきたように、本発明によれば、弁体の開度が小さい場合、弁体が作動したことを示す作動信号を出力することができる。弁体の弁開度が制限されることがないので、圧力損失を小さくすることができる。また、弁体を含む全体の作動試験を行うとき、流水しなくても現場で簡単に弁体の作動試験を行うことができる。
【００５１】
２組のスイッチにより２つの作動信号を出力することができる。また、遅延装置を設けることで遅延時間のある作動信号を出力することができる。
【図面の簡単な説明】
【図１】本発明の流水検知装置の断面図
【図２】図１の弁体部分を水平面で切って示した断面図
【図３】スイッチボックスの内部構成図
【図４】流水検知装置の平面図
【図５】流水検知装置の正面図
【図６】図５の左側面図
【図７】図５の右側面図
【図８】２つのスイッチボックスの内部構成図
【図９】従来の流水検知装置の説明図
【図１０】図９の従来装置の作動状態の説明図
【符号の説明】
２１：作動弁本体
２２：流水検知装置
２３：弁座
２４：第１の作動軸
２５：弁体
２５Ａ：端部
４０：連動部材
４１，４１Ａ，４１Ｂ：作動レバー
４３，４３Ａ，４３Ｂ：調整部材
５８，５８Ａ，５８Ｂ：スイッチレバー
５９：リミットスイッチ（スイッチ）
９２：遅延装置
【図１】
0003540463.tif 000002
【図２】
0003540463.tif 000003
【図３】
0003540463.tif 000004
【図４】
0003540463.tif 000005
【図５】
0003540463.tif 000006
【図６】
0003540463.tif 000007
【図７】
0003540463.tif 000008
【図８】
0003540463.tif 000009
【図９】
0003540463.tif 000010
【図１０】
0003540463.tif 000011